(57)【要約】【課題】シャツ類を折り畳む際に補助具を用いて、洗濯や試着等の使用後に展開した未整形状態から収納、納品、陳列又は展示に係る標準的な折り畳み整形状態を得る。【解決手段】ワイシャツその他の上半身に着用する布帛製品〔シャツ類〕を一定の大きさ及び形状に整形して折り畳む際に型板として用いるシャツ類の折り畳み整形用補助具Ｘであって、長方形状の準剛性板部材１と、該準剛性板部材１の片面に突設され長方形状の上部短辺側の中央部に配設した摘まみ用突起部材２からなる。準剛性板部材１は、長方形状の上部短辺をシャツ類の背面肩幅方向の縁辺に揃えて着丈方向に添接し、袖及び身頃（胴部及び裾を含む）を長方形状の他の３辺のいずれかを介してそれぞれ内向きに折り曲げ、かつ、板面上に畳み込む折り畳み操作を補助する。摘まみ用突起部材２は、折り畳み操作の終了時に準剛性板部材１を一方向に引き抜く離脱操作を補助する。【選択図】      図１
0003101657.tif 000002
【実用新案登録請求の範囲】
【請求項１】
ワイシャツ、ブラウス、ポロシャツ、Ｔシャツその他の上半身に着用する布帛製品（以下、シャツ類。）を一定の大きさ及び形状に整形して折り畳む際に型板として用いるシャツ類の折り畳み整形用補助具であって、
長方形状の準剛性板部材と、該準剛性板部材の片面に突設され長方形状の上部短辺側の中央部に配設した摘まみ用突起部材を具備してなることを特徴とするシャツ類の折り畳み整形用補助具。
【請求項２】
ワイシャツ、ブラウス、ポロシャツ、Ｔシャツその他の上半身に着用する布帛製品（以下、シャツ類。）を一定の大きさ及び形状に整形して折り畳む際に型板として用いるシャツ類の折り畳み整形用補助具において、
洗濯や試着等の使用後に展開した未整形状態から、収納、納品、陳列又は展示に係る標準的な折り畳み整形状態を得るためのシャツ類の折り畳み整形用補助具であって、
長方形状の準剛性板部材と、該準剛性板部材の片面に突設され長方形状の上部短辺側の中央部に配設した摘まみ用突起部材を具備し、
前記準剛性板部材が、長方形状の上部短辺を平面設置したシャツ類の背面肩幅方向の縁辺に揃えて着丈方向に添接し、袖及び身頃を長方形状の他の３辺のいずれかを介してそれぞれ内向きに折り曲げ、かつ、板面上に畳み込む折り畳み操作を補助するものであり、
前記摘まみ用突起部材が、折り畳み操作の終了時に前記準剛性板部材を一方向に引き抜く離脱操作を補助するものである
ことを特徴とするシャツ類の折り畳み整形用補助具。
【請求項３】
準剛性板部材が、板厚が２〜５ｍｍの紙製又は樹脂製素材からなり、長方形状の４辺及び４角のエッジを丸めて面取りしたものであり、
摘まみ用突起部材が、厨房用鍋蓋の摘まみと同様に、操作側の片面に２０〜４０ｍｍ高さのノブを突設したものである請求項１又は２記載のシャツ類の折り畳み整形用補助具。
【考案の詳細な説明】
【技術分野】
【０００１】
本考案は、ワイシャツ、ブラウス、ポロシャツ、Ｔシャツその他の上半身に着用する布帛製品（以下、シャツ類。）を一定の大きさ及び形状に整形して折り畳む際に型板として用いるシャツ類の折り畳み整形用補助具に係り、詳しくは、洗濯や試着等の使用後に展開した未整形状態から収納、納品、陳列又は展示に係る標準的な折り畳み整形状態を得るために、添接することにより折り畳み操作を補助し、かつ、折り畳み終了時に引き抜いて離脱させる（取り外す）ことにより難なく折り畳み整形状態を完成するようにしたシャツ類の折り畳み整形用補助具に関する。
【背景技術】
【０００２】
従来より、家庭やクリーニング店や洋服店などでは、シャツ類を洗濯や試着等の使用後に展開した未整形状態から、手作業により一定の大きさ及び形状（標準的な折り畳み整形状態に同じ。）に折り畳んで、収納、納品、陳列又は展示に供してきた。
【０００３】
例えば、シャツ類の洗濯物の仕上げでは、アイロン掛けの後に、この作業工程をおこなう場合が多いが、ある程度習熟しないと形が整わず、手間もかかるといった経験は誰にも覚えがある。
【０００４】
近年は、この種の折り畳み整形を省略して、ハンガー掛けのまま収納、納品、陳列又は展示等をこおこなうこともあるが、運搬や保管等も考慮して折り畳みを望む場合には、相変わらず標準的な折り畳み整形状態に折り畳むことが求められることが多い。
【０００５】
一方、ブティックやデパートの洋服売場などでは、試着した後のシャツ類を元どおり陳列又は展示するために、標準的な折り畳み整形状態に折り畳む光景をよく見かけるが、べテランには苦もなく数もこなせるが、習熟度が足りないと手間も時間も要するので、作業性の点で補助具を用いることは一考に値する。
【０００６】
この種の補助具としては、薄板状の当板に切り込みを設けて挟持片を形成し、折り畳んだ部分を弾力的に挟持するようにしたものがある。（例えば、特許文献１を参照。）
【特許文献１】特開平７−２３７６８０号公報
【０００７】
この従来例の主目的は、折り畳んだ衣類の芯材として存置し運搬時又は保管時の保形性を確保する点にある。当板としての機能から、収納する際に衣類から取り外し、再使用することもできなくはないが、本考案との対比において、反復使用を前提とする点で、折り畳み作業（操作）を補助する専用具とはいえない。
【０００８】
また、ワイシャツの折り畳み形状を固定するために生産包装過程で用いる形態固定用板紙等（例えば、特許文献２及び３を参照。）があるが、これらの従来例も、折り畳んだワイシャツの芯材として存置されるものである。
【特許文献２】実用新案登録第３０３７５５４号公報
【特許文献３】実用新案登録第３０５８２７３号公報
【考案の開示】
【考案が解決しようとする課題】
【０００９】
本考案は、このような事情に鑑みなされたものであって、シャツ類を未整形状態から折り畳み整形する際に、補助具として使用し、簡単に、かつ、形を崩さずに標準的な折り畳み整形状態にきちんと折り畳むことができるシャツ類の折り畳み整形用補助具を提供するものである。
【課題を解決するための手段】
【００１０】
課題を解決するため本考案は、シャツ類を一定の大きさ及び形状に整形して折り畳む際に型板として用いるシャツ類の折り畳み整形用補助具であって、長方形状の準剛性板部材と、該準剛性板部材の片面に突設され長方形状の上部短辺側の中央部に配設した摘まみ用突起部材を具備してなることを特徴とするものである。
【考案の効果】
【００１１】
本考案の補助具を使用し、シャツ類を洗濯や試着等の使用後に展開した未整形状態から収納、納品、陳列又は展示に係る標準的な折り畳み整形状態を得ることができる。すなわち、折り畳み作業において、本考案補助具を添接することにより折り畳み操作を補助し、かつ、折り畳み終了時に引き抜いて離脱させることにより難なく折り畳み整形状態を完成することができる。
【００１２】
しかも、作業者の巧拙は問わないで、誰でも簡単に、かつ、形を崩さずにシャツ類を整形してきちんと折り畳むことができる。
【考案を実施するための最良の形態】
【００１３】
本考案を実施するための最良の形態は、上記構成において、準剛性板部材は、長方形状の上部短辺をシャツ類の背面肩幅方向の縁辺に揃えて着丈方向に添接し、袖及び身頃（胴及び裾を含む）を長方形状の他の３辺のいずれかを介してそれぞれ内向きに折り曲げ、かつ、板面上に畳み込む折り畳み操作を補助するものであり、好ましくは板厚が２〜５ｍｍの紙製又は樹脂製素材からなり、長方形状の４辺及び４角のエッジを丸めて面取りしたものである。
【００１４】
また、摘まみ用突起部材は、折り畳み操作の終了時に準剛性板部材を一方向に引き抜く離脱操作を補助するものであり、好ましくは厨房用鍋蓋の摘まみと同様に、操作側の片面に２０〜４０ｍｍ高さのノブを突設したものである。
【実施例】
【００１５】
本考案の一実施例について添付図面を参照して以下説明する。
【００１６】
図１は本考案の一実施例であるシャツ類の折り畳み整形補助具（以下、実施例補助具。）斜視説明図である。
【００１７】
図２は実施例補助具を用いてワイシャツを折り畳む場合の取り扱い説明図である。
【００１８】
図１に示すように、実施例補助具Ｘは、シャツ類を、洗濯や試着等の使用後に展開した未整形状態から収納、納品、陳列又は展示に係る標準的な折り畳み整形状態を得るために使用する折り畳み整形用補助具（Ｘ）であって、長方形状の準剛性板部材１と、該準剛性板部材１の片面に突設され長方形状の上部短辺側の中央部に配設した摘まみ用突起部材２を具備している。
【００１９】
準剛性板部材１は、長方形状の上部短辺をシャツ類の背面肩幅方向の縁辺に揃えて着丈方向に添接し、左右の袖及び身頃（胴部及び裾を含む）を長方形状の他の３辺のいずれかを介してそれぞれ内向きに折り曲げ、かつ、板面上に畳み込む折り畳み操作を補助するものである。
【００２０】
具体的な部材構成としては、縦（長辺）２５〜３５ｃｍ、横（短辺）２０〜３０ｃｍの長方形状で、板厚が２〜５ｍｍの紙製（例えば、ボール紙。）又は樹脂製素材からなり、長方形状の４辺及び４角のエッジを丸めて面取りしたものとするのが好ましい。
【００２１】
摘まみ用突起部材２は、折り畳み操作の終了時に準剛性板部材１を一方向に引き抜く離脱操作を補助するものである。
【００２２】
具体的な部材構成としては、厨房用鍋蓋の摘まみと同様に、準剛性板部材１の片面（操作側）に突設した２０〜４０ｍｍ高さのノブであって、２０〜２５ｍｍ径の戴頭部を有したものとするのが好ましい。
【００２３】
図２に、実施例補助具Ｘを用いてワイシャツを折り畳む場合の操作を示すように、まず、ワイシャツの表のボタンやファスナを閉じて、裏返して平面設置し、摘まみ用突起部材２を表側にして準剛性板部材１を載置する。このとき、準剛性板部材１を、ワイシャツの背面の左右中心で、かつ、肩幅方向の縁辺に長方形状の上部短辺を揃えて着丈方向に添接するように載置する〔図２（ａ）〕。
【００２４】
そして、左右の袖を、準剛性板部材１の長方形状の左右長辺を介してそれぞれ内向きに折り曲げて、板面上に畳み込む〔図２（ｂ）〕。
【００２５】
ついで、胴部（身頃）を準剛性板部材１の長方形状の下部短辺を介して内向きに折り曲げ、さらに、裾をワイシャツ背面の襟元に沿って内向きに折り曲げて、板面上に畳み込む。
【００２６】
以上により折り畳み操作を終了し、摘まみ用突起部材を掴んで準剛性板部材を上方に引き抜き、ワイシャツから離脱させる〔図２（ｃ）〕。
【００２７】
ワイシャツを再び裏返して表（正面）にすると、折り畳み整形の出来上がりとなる〔図２（ｄ）〕。
【産業上の利用可能性】
【００２８】
本考案は日用品として物品提供される量産可能な補助具であり、シャツ類の折り畳み整形に係る作業性及び利便性の向上に寄与するものであるから、産業上の利用可能性を有する。
【図面の簡単な説明】
【００２９】
【図１】実施例補助具の斜視説明図である。
【図２】実施例補助具を用いてワイシャツを折り畳む場合の取り扱い説明図である。
【符号の説明】
【００３０】
１  準剛性板部材
２  摘まみ用突起部材
Ｘ  折り畳み整形用補助具（実施例補助具）
【図１】
0003101657.tif 000003
【図２】
0003101657.tif 000004